(57)【特許請求の範囲】
【請求項１】
記憶部と、通信部と、記録部と、着脱自在な情報記録媒体を装着可能な媒体装着部と、測定部から出力された測定データを前記記憶部に一時的に記憶させる処理を継続して実行すると共に、当該記憶部に記憶させた当該測定データを前記通信部を制御して外部装置に送信させるデータ送信処理および当該記憶部に記憶させた当該測定データを前記記録部を制御して記録させるデータ記録処理を実行し、かつ予め規定されたコピー条件が満たされたときに前記記録部から前記測定データを読み出して前記媒体装着部に装着されている前記情報記録媒体にコピーするデータコピー処理を実行する制御部とを備え、
前記制御部は、前記媒体装着部に対する前記情報記録媒体の装着の有無を監視すると共に、当該媒体装着部に当該情報記録媒体が装着されたときに、前記記録部に記録されている前記測定データのすべてをコピーする前記データコピー処理としての第１処理の実行、前記記録部に記録されている前記測定データのうちの予め規定された条件を満たす当該測定データだけをコピーする前記データコピー処理としての第２処理の実行、および前記データコピー処理の不実行のいずれかを選択させるメッセージを表示部に表示させ、前記第１処理および前記第２処理のいずれかの実行を選択されたときに、前記コピー条件が満たされたとして、前記データ記録処理を一時的に停止して前記選択に応じた前記データコピー処理を実行し、かつ当該データコピー処理を開始してから所定時間が経過した時点において前記情報記録媒体にコピーすべき前記測定データのコピーが完了していないときに、当該記憶部の記憶可能容量が十分に存在するときには当該データコピー処理を継続して実行すると共に、当該記憶部の記憶可能容量が不足するときには当該データコピー処理を一時的に停止して前記データ記録処理を実行することで前記記憶部に記憶されている前記測定データを前記記録部に記録させた後に当該データコピー処理を再開する測定データ記録装置。
【請求項２】
前記制御部は、前記データコピー処理の度に前記情報記録媒体内に新たなフォルダを生成して、当該生成したフォルダ内に前記測定データをコピーする請求項１記載の測定データ記録装置。
【発明の詳細な説明】
【技術分野】
【０００１】
本発明は、測定データを外部装置に送信すると共に記録部に記録可能に構成された測定データ記録装置に関するものである。
【背景技術】
【０００２】
例えば特開２００６−１５５１３５号公報には、生成した測定データを外部装置に送信可能に構成された測定器が開示されている。この測定器では、測定部が測定データを作成して測定器内のバッファに格納する。また、バッファに格納された測定データは、外部装置としてのコンピュータからの要求に応じて、通信インターフェイスからネットワークを介してコンピュータに送信される。この場合、この測定器では、ネットワークに通信障害が発生して測定データを送信することができなくなったときに、バックアップファイル作成部が測定器内のストレージ装置にバックアップファイルを作成して測定データを書き込む。これにより、一連の測定処理が完了した際に、バックアップファイルとして測定器内に記録された測定データを外部装置に送信することにより、既に送信が完了している測定データと合成して１つの記録データファイル（一連の測定処理の測定データを記録したファイル）を得ることが可能となっている。
【先行技術文献】
【特許文献】
【０００３】
【特許文献１】特開２００６−１５５１３５号公報（第５−６頁、第１図）
【発明の概要】
【発明が解決しようとする課題】
【０００４】
ところが、従来の測定器には、以下の問題点が存在する。すなわち、従来の測定器では、通信障害等に起因して測定データを送信することができなくなったときに、測定器内のストレージ装置に測定データを記録する構成が採用されている。これにより、一連の測定処理が終了した際に測定器内に記録されている測定データを外部装置に送信することで、既に送信が完了している測定データと合成して１つの記録データファイルを得ることが可能となっている。しかしながら、従来の測定器では、ストレージ装置内に記録した測定データを通信インターフェイスからネットワークを介して外部装置に送信する構成が採用されている。したがって、通信障害の復帰が困難な状況（通信障害の復帰までに長い期間を要するとき）においては、測定器内のバックアップファイル（測定データ）を取得する（測定器から読み出す）ことができないという問題点が存在する。
【０００５】
一方、特開２００７−２０５９５３号公報には、ＵＳＢメモリを装着可能なＵＳＢインターフェースを備えて、装着したＵＳＢメモリに測定データを記録する構成のデータ集録装置が開示されている。このデータ集録装置の構成（着脱自在なＵＳＢメモリに測定データを記録する構成）を従来の測定器におけるストレージ装置に適用することにより、通信障害が復帰していない状態であっても、測定データ（バックアップファイル）が記録されたＵＳＢメモリを測定器から取り外して外部装置としてのコンピュータに装着することにより、ＵＳＢメモリ内の測定データを取得する（読み出す）ことが可能となる。
【０００６】
しかしながら、従来の測定器においてＵＳＢメモリに測定データを記録する構成を採用した場合には、測定器からＵＳＢメモリを取り外した状態において測定部が順次生成する測定データを記録することができなくなる。したがって、ＵＳＢメモリ内の測定データを取得する際には、測定処理を中断する必要が生じるため、処理を中断した時間分の測定データの欠落を招くという問題が生じる。また、測定データを欠落させたくない場合には、一連の測定処理が終了してからＵＳＢメモリを取り外す必要がある。この場合、この種の装置の用途として、例えば数ヶ月に亘って測定データを記録する処理を継続して実行することがある。したがって、このような長期に亘る測定処理時には、測定処理が終了するのを待ってＵＳＢメモリ内の測定データを取得する作業が非常に煩雑となる。
【０００７】
本発明は、かかる問題点に鑑みてなされたものであり、測定データの欠落を招くことなく、しかも、任意の時点において記録済みの測定データを取得し得る測定データ記録装置を提供することを主目的とする。
【課題を解決するための手段】
【０００８】
上記目的を達成すべく請求項１記載の測定データ記録装置は、記憶部と、通信部と、記録部と、着脱自在な情報記録媒体を装着可能な媒体装着部と、測定部から出力された測定データを前記記憶部に一時的に記憶させる処理を継続して実行すると共に、当該記憶部に記憶させた当該測定データを前記通信部を制御して外部装置に送信させるデータ送信処理および当該記憶部に記憶させた当該測定データを前記記録部を制御して記録させるデータ記録処理を実行し、かつ予め規定されたコピー条件が満たされたときに前記記録部から前記測定データを読み出して前記媒体装着部に装着されている前記情報記録媒体にコピーするデータコピー処理を実行する制御部とを備え、前記制御部は、前記媒体装着部に対する前記情報記録媒体の装着の有無を監視すると共に、当該媒体装着部に当該情報記録媒体が装着されたときに、前記記録部に記録されている前記測定データのすべてをコピーする前記データコピー処理としての第１処理の実行、前記記録部に記録されている前記測定データのうちの予め規定された条件を満たす当該測定データだけをコピーする前記データコピー処理としての第２処理の実行、および前記データコピー処理の不実行のいずれかを選択させるメッセージを表示部に表示させ、前記第１処理および前記第２処理のいずれかの実行を選択されたときに、前記コピー条件が満たされたとして、前記データ記録処理を一時的に停止して前記選択に応じた前記データコピー処理を実行し、かつ当該データコピー処理を開始してから所定時間が経過した時点において前記情報記録媒体にコピーすべき前記測定データのコピーが完了していないときに、当該記憶部の記憶可能容量が十分に存在するときには当該データコピー処理を継続して実行すると共に、当該記憶部の記憶可能容量が不足するときには当該データコピー処理を一時的に停止して前記データ記録処理を実行することで前記記憶部に記憶されている前記測定データを前記記録部に記録させた後に当該データコピー処理を再開する。
【００１０】
さらに、請求項２記載の測定データ記録装置は、請求項１記載の測定データ記録装置において、前記制御部が、前記データコピー処理の度に前記情報記録媒体内に新たなフォルダを生成して、当該生成したフォルダ内に前記測定データをコピーする。
【発明の効果】
【００１１】
請求項１記載の測定データ記録装置によれば、制御部が、予め規定されたコピー条件が満たされたときに、記録部から測定データを読み出して媒体装着部に装着されている情報記録媒体にコピーするデータコピー処理をデータ記録処理と共に実行することにより、測定データ記録装置から記録部を取り外すことなく、情報記録媒体に測定データをコピーして取得することができるため、記録部に対する測定データの記録処理（データ記録処理）を継続して実行することができる結果、測定データの欠落を招くことなく、すべての測定データを取得することができる。また、情報記録媒体については、測定データのコピーが完了した後に任意の時点で測定データ記録装置から取り外すことができるため、一連の処理の終了を待つことなく、所望の測定データを任意の時点で取得することができる。
【００１２】
また、制御部が、媒体装着部に対する情報記録媒体の装着の有無を監視して、情報記録媒体が装着されたときに、記録部に記録されている測定データのすべてをコピーするデータコピー処理としての第１処理の実行、記録部に記録されている測定データのうちの予め規定された条件を満たす測定データだけをコピーするデータコピー処理としての第２処理の実行、およびデータコピー処理の不実行のいずれかを選択させるメッセージを表示部に表示させ、第１処理および第２処理のいずれかの実行を選択されたときに、コピー条件が満たされたとして、選択に応じたデータコピー処理を実行することにより、媒体装着部に情報記録媒体を装着して第１処理および第２処理のいずれかの実行を選択するだけで記録部内の測定データを情報記録媒体にコピーすることができるため、この種の装置の操作に不慣れな利用者であっても、所望の測定データを確実かつ容易に情報記録媒体にコピーすることができる。
【００１３】
さらに、請求項２記載の測定データ記録装置によれば、制御部が、データコピー処理の度に情報記録媒体内に新たなフォルダを生成して、生成したフォルダ内に測定データをコピーすることにより、同一の情報記録媒体を使用して「データコピー処理」を複数回に亘って実行したときに、情報記録媒体内に記録されている（情報記録媒体にコピーされた）測定データに新たな測定データが上書きコピーされて、最新のデータコピー処理の実行以前に情報記録媒体に記録されていた測定データを失う事態を回避することができる。
【図面の簡単な説明】
【００１４】
【図１】測定データ記録装置１のブロック図である。
【図２】データ処理１０のフローチャートである。
【発明を実施するための形態】
【００１５】
以下、本発明に係る測定データ記録装置の実施の形態について、添付図面を参照して説明する。
【００１６】
図１に示す測定データ記録装置１は、測定部２、操作部３、表示部４、記憶部５、接続ポート６ａ，６ｂ、通信部７および制御部８を備えて構成されている。測定部２は、制御部８の制御に従い、図示しないＡ／Ｄ変換部によって入力信号をＡ／Ｄ変換することで（電圧値や電流値などの予め規定された電気的パラメータを測定して）測定データＤを生成し、生成した測定データＤを制御部８に出力する。操作部３は、測定データ記録装置１の動作条件を設定するための各種操作スイッチを備え、スイッチ操作に応じた操作信号を出力する。表示部４は、一例として液晶パネルで構成され、制御部８の制御に従って測定データ記録装置１の動作状態や各種のメッセージ（図示せず）を表示する。記憶部５は、制御部８の制御下で測定部２から出力された測定データＤを一時的に記憶する。この場合、この測定データ記録装置１では、記憶部５内にリングバッファ形式のデータ記憶領域が設けられて、この記憶領域内に先入れ先出し法に従って所定数の測定データＤが順次記録される構成が採用されている。
【００１７】
接続ポート６ａ，６ｂは、一例として、ＵＳＢ規格に準じた各種機器を装着可能に（接続可能に）構成されている。この場合、この測定データ記録装置１では、接続ポート６ａ，６ｂに装着したＵＳＢ機器（例えば、後述するリムーバブルメモリＭａ，Ｍｂ）のいずれか一方を主記録装置として使用し、他方のＵＳＢ機器を副記録装置として使用する構成が採用されている。なお、以下の説明においては、一例として接続ポート６ａに装着したリムーバブルメモリＭａを主記録装置として使用し、接続ポート６ｂには、ＵＳＢ機器が接続されていないものとするが、接続ポート６ａ，６ｂのいずれに装着された機器を主記録装置として使用するかは、測定データ記録装置１によるデータ処理１０（図２参照）の開始に先立って利用者が任意に選択することが可能となっている。また、この例では、接続ポート６ａおよびリムーバブルメモリＭａが相俟って記録部を構成し、制御部８の制御に従って測定データＤを記録する。さらに、この例では、接続ポート６ｂが「媒体装着部」に相当し、後述するようにして、この接続ポート６ｂに装着されるリムーバブルメモリＭｂが「着脱自在な情報記録媒体」に相当する。
【００１８】
通信部７は、制御部８の制御に従い、外部装置の一例であるパーソナルコンピュータＰＣに対して通信ネットワークＮを介して測定データＤを送信する。この場合、この測定データ記録装置１では、一例として、通信部７が１００ＢＡＳＥ−ＴＸ準拠の接続ポートを備えて構成され、通信ネットワークＮとしてのＬＡＮ、ＭＡＮおよびＷＡＮ等のネットワークを介して各種ネットワーク機器（例えば、パーソナルコンピュータＰＣ）に接続することができるように構成されている。なお、測定データ記録装置１をパーソナルコンピュータＰＣに接続するための通信ネットワークＮは、上記の例示に限定されるものではなく、携帯電話通信網等の各種公衆回線網や、この測定データ記録装置１を使用するための専用ネットワークなどの各種の通信ネットワークがこれに含まれる。
【００１９】
制御部８は、測定データ記録装置１を総括的に制御する。具体的には、制御部８は、図２に示すデータ処理１０を実行し、測定部２を制御して測定データＤを生成させると共に、測定部２から出力される測定データＤを記憶部５に記憶させる。また、制御部８は、通信部７を制御して測定データＤをパーソナルコンピュータＰＣに送信させるデータ送信処理を実行する。さらに制御部８は、接続ポート６ａに接続された機器および接続ポート６ｂに接続された機器のうちの主記録装置として使用するように選択された一方（この例では、接続ポート６ａに接続されたリムーバブルメモリＭａ）を制御して測定データＤを記録させるデータ記録処理を実行する。
【００２０】
また、制御部８は、接続ポート６ａ，６ｂのうちの主記録装置として使用するように選択された機器が接続されていない他方（この例では、接続ポート６ｂ）に対するＵＳＢ機器の接続の有無を監視する。さらに、制御部８は、ＵＳＢ機器（この例では、リムーバブルメモリＭｂ）が接続されたときに、その後に実行すべき処理を選択させるメッセージを表示させ、測定データＤをコピーする旨の処理が選択されたときに、コピー条件が満たされたとして、リムーバブルメモリＭａから測定データＤを読み出してリムーバブルメモリＭｂにコピーするデータコピー処理を上記のデータ記録処理と共に実行する。
【００２１】
次に、測定データ記録装置１の使用方法について、添付図面を参照して説明する。
【００２２】
まず、一例として、上記したように、接続ポート６ａにリムーバブルメモリＭａを装着した状態において、操作部３を制御して、図示しない動作条件設定画面を表示部４に表示させ、このリムーバブルメモリＭａを主記録装置（記録部）として使用するように設定する。この際には、測定部２による測定データＤの生成条件（測定レンジやサンプリングレート等の諸条件：測定条件）についても設定する。次いで、操作部３のスタートスイッチを操作する。この際に、制御部８は、操作部３からの操作信号に応じて、図２に示すデータ処理１０を開始する。このデータ処理１０では、制御部８は、まず、測定部２を制御して入力信号に基づく測定データＤの生成処理を開始させると共に、測定部２から測定データＤが出力されたときに、その測定データＤを記憶部５に記憶させる（ステップ１１）。
【００２３】
次いで、制御部８は、通信部７を制御することにより、記憶部５に記憶させた測定データＤをパーソナルコンピュータＰＣに送信させると共に、接続ポート６ａに接続されているリムーバブルメモリＭａに対して、記憶部５に記憶させた測定データＤを記録させる（「データ送信処理」および「データ記録処理」の実行：ステップ１２）。なお、この測定データ記録装置１では、測定部２からの新たな測定データＤの出力が停止するまで（データ処理１０が終了するまで）、出力された測定データＤを記憶部５に記憶させる処理（ステップ１１）を継続して実行する構成が採用されている。また、測定部２から新たな測定データＤが出力されている状態においては、通信障害等の発生によってパーソナルコンピュータＰＣに対して測定データＤを送信することができないときを除き、通信部７から測定データＤを送信する処理（ステップ１２）を継続して実行すると共に、後述するようにして、制御部８がデータ記録処理を一時的に停止させたときを除き、リムーバブルメモリＭａに対する測定データＤの記録処理（ステップ１２）を継続して実行する構成が採用されている。
【００２４】
続いて、制御部８は、接続ポート６ｂに副記録装置としてのＵＳＢ機器が装着されたか否かを監視する（ステップ１３）。この場合、一例として、通信ネットワークＮにおいて通信障害が発生するなどして通信部７からパーソナルコンピュータＰＣに測定データＤを送信することができなくなったときに、利用者は、上記の「データ記録処理」によってリムーバブルメモリＭａに記録されている測定データＤを取得するために、接続ポート６ｂにリムーバブルメモリＭｂを装着する。この際には、制御部８が接続ポート６ｂに対するリムーバブルメモリＭｂの装着を検出して（「媒体装着部に情報記録媒体が装着されたとき」の一例）、一例として、「ＵＳＢ機器の接続を検出しました。ご希望の処理を選択して下さい。」とのメッセージ（図示せず）を表示部４に表示させる（ステップ１４）。
【００２５】
具体的には、この測定データ記録装置１では、上記のメッセージを表示することにより、リムーバブルメモリＭａ内に記憶されている測定データＤのすべてをコピーする「データコピー処理」の実行（「第１処理の実行」の一例：以下、「選択肢１」ともいう）、リムーバブルメモリＭａ内に記憶されている測定データＤのうちの現時点において進行中のデータ処理１０によって記録した測定データＤ（「予め規定された条件を満たす測定データ」の一例）だけをコピーする「データコピー処理」の実行（「第２処理の実行」の一例：以下、「選択肢２」ともいう）、および「データコピー処理」の不実行（以下、「選択肢３」ともいう）の３つの選択肢のうちから所望の選択肢を選択させる構成が採用されている。
【００２６】
この場合、測定データＤのコピーを所望しないときには、操作部３を操作することにより、上記の「選択肢３」を選択する。一方、進行中のデータ処理１０よりも、前の時点において実行したデータ処理１０等によって記録された測定データＤを含むリムーバブルメモリＭａ内のすべての測定データＤをリムーバブルメモリＭｂにコピーするときには、操作部３を操作することにより、上記の「選択肢１」を選択する。また、進行中のデータ処理１０によってリムーバブルメモリＭａ内に記録された測定データＤだけをリムーバブルメモリＭｂにコピーするときには、操作部３を操作することにより、上記の「選択肢２」を選択する。これに応じて、制御部８は、操作部３からの操作信号に基づき、上記の各選択肢のうちのいずれが選択されたか（「データコピー処理の実行」が選択されたか）を判別する（ステップ１５）。
【００２７】
この際に、上記の「選択肢３」が選択されたときには、制御部８は、「データコピー処理の実行」が選択されなかったと判別して、接続ポート６ｂから副記録装置としてのリムーバブルメモリＭｂが取り外されたか否かを監視する（ステップ１６）。また、リムーバブルメモリＭｂが取り外されたときには、制御部８は、接続ポート６ｂに副記録装置としてのＵＳＢ機器が装着されたか否かを再び監視する（ステップ１３）。この場合、この測定データ記録装置１では、前述したように、リムーバブルメモリＭａに対する測定データＤの記録処理（ステップ１２）が継続して実行する構成が採用されているため、接続ポート６ｂに対してリムーバブルメモリＭｂを装着してから取り外すまでの間の測定データＤが欠落する事態が回避される。
【００２８】
一方、上記の「選択肢１」または「選択肢２」が選択されたときには（ステップ１５）、制御部８は、「データコピー処理の実行」が選択されたと判別して（「コピー条件が満たされた」との状態の一例）、リムーバブルメモリＭａに対する測定データＤの記録（データ記録処理）を一時的に停止する（データ記録処理の中断：ステップ１７）。この場合、一例として「選択肢２」が選択されたときには、制御部８は、進行中のデータ処理１０によってリムーバブルメモリＭａに記録した測定データＤであって、「選択肢２」を選択した時点においてリムーバブルメモリＭａに対する記録が完了している測定データＤを特定し、特定した測定データＤをリムーバブルメモリＭａから読み出してリムーバブルメモリＭｂにコピーする（「選択に応じたデータコピー処理の実行」の一例：ステップ１８）。
【００２９】
この場合、制御部８は、測定データＤをリムーバブルメモリＭｂにコピーするデータコピー処理の開始に先立って、一例として、図示しない内部時計から現在日時を取得すると共に、取得した情報に基づき、「ＹＹＭＭＤＤ」とのフォルダ（「ＹＹ」は「西暦の下２桁」を表す２桁の数字で、「ＭＭ」は「月」を表す２桁の数字で、「ＤＤ」は「日」を表す２桁の数）をリムーバブルメモリＭｂ内に生成し、生成したフォルダ内に測定データＤを記録させる（「データコピー処理の度に情報記録媒体内に新たなフォルダを生成する」との処理の一例）。
【００３０】
次いで、制御部８は、特定した測定データＤのすべてをリムーバブルメモリＭｂにコピーしたかを判別し（ステップ１９）、コピーが完了したときには、リムーバブルメモリＭａに対する測定データＤの記録（データ記録処理）を再開する（ステップ２０）。続いて、制御部８は、一例として「測定データのコピーが完了しました。」とのメッセージを表示部４に表示させ（ステップ２１）、接続ポート６ｂから副記録装置としてのリムーバブルメモリＭｂが取り外されたか否かを監視する（ステップ１６）。また、リムーバブルメモリＭｂが取り外されたときには、接続ポート６ｂに副記録装置としてのＵＳＢ機器が装着されたか否かを再び監視する（ステップ１３）。
【００３１】
一方、リムーバブルメモリＭａ内に多数の測定データＤが記録された状態において上記の「選択肢１」が選択されたときや、進行中のデータ処理１０においてリムーバブルメモリＭａ内に多数の測定データＤが記録された状態において上記の「選択肢２」が選択されたときには、リムーバブルメモリＭａからリムーバブルメモリＭｂに測定データＤをコピーするのにある程度長い時間を要することとなる。この際に、この測定データ記録装置１では、「選択肢１」または「選択肢２」が選択されて、主記録装置としてのリムーバブルメモリＭａに対する測定データＤの記録を一時的に停止しているときに（ステップ１７）、前述したように、測定部２から出力された測定データＤを記憶部５に記憶させる処理については継続して実行している。したがって、リムーバブルメモリＭａに対する測定データＤの記録を停止している時間が長いときには、記憶部５内のリングバッファの容量（リムーバブルメモリＭａに対する記録が完了している測定データＤが記録されている領域）が不足して、リムーバブルメモリＭａに記録すべき領域に新たな測定データＤが上書きされて測定データＤの欠落を招くおそれがある。
【００３２】
したがって、制御部８は、副記録装置としてのリムーバブルメモリＭｂへの測定データＤのコピー（ステップ１８）を開始してから所定時間（一例として、１０秒）が経過した時点において、コピーすべき測定データＤのコピーが完了していないと判別したときに（ステップ１９）、記憶部５内の記憶可能容量（測定データＤを上書きしても構わない領域の量）が不足するか否かを判別する（ステップ２２）。この際に、記憶可能容量が十分に存在すると判別したときには、制御部８は、測定データＤをリムーバブルメモリＭａから読み出してリムーバブルメモリＭｂにコピーする処理を継続して実行し（ステップ１８）、前述したように、測定データＤのコピーを開始してから所定時間が経過した時点において、コピーすべき測定データＤのコピーが完了したか否かを判別する（ステップ１９）。
【００３３】
一方、記憶可能容量が不足すると判別したときには（ステップ２２）、制御部８は、リムーバブルメモリＭａからリムーバブルメモリＭｂへの測定データＤのコピー処理を一時的に停止して、記憶部５内に記憶されている測定データＤをリムーバブルメモリＭａに記録させる（ステップ２３）。また、記憶部５内の測定データＤのリムーバブルメモリＭａに対する記録が完了したときには、制御部８は、リムーバブルメモリＭａに対する測定データＤの記録（データ記録処理）を一時的に停止し（ステップ１７）、リムーバブルメモリＭｂにコピーすべき測定データＤをリムーバブルメモリＭａから読み出してリムーバブルメモリＭｂにコピーする（「データ記録処理」と共に（「データ記録処理」と並行して）「データコピー処理」を実行する例：ステップ１８）。
【００３４】
この後、制御部８は、特定した測定データＤのすべてをリムーバブルメモリＭｂにコピーしたかを判別し（ステップ１９）、コピーが完了したときには、リムーバブルメモリＭａに対する測定データＤの記録（データ記録処理）を再開する（ステップ２０）。また、制御部８は、一例として「測定データのコピーが完了しました。」とのメッセージを表示部４に表示させ（ステップ２１）、接続ポート６ｂから副記録装置としてのリムーバブルメモリＭｂが取り外されたか否かを監視して（ステップ１６）、リムーバブルメモリＭｂが取り外されたときには、接続ポート６ｂに副記録装置としてのＵＳＢ機器が装着されたか否かを再び監視する（ステップ１３）。なお、「選択肢１」または「選択肢２」が選択されたときにリムーバブルメモリＭａからリムーバブルメモリＭｂに測定データＤをコピーする「データコピー処理」について説明したが、「選択肢３」が選択された後に操作部３の操作によって「データコピー処理の実行」を指示されたときに（「コピー条件が満たされた」との状態の他の一例）、上記のリムーバブルメモリＭａからリムーバブルメモリＭｂに測定データＤをコピーすることも可能となっている。
【００３５】
このように、この測定データ記録装置１によれば、制御部８が、予め規定されたコピー条件が満たされたときに、リムーバブルメモリＭａから測定データＤを読み出して接続ポート６ｂに装着されているリムーバブルメモリＭｂにコピーするデータコピー処理をリムーバブルメモリＭａに対して測定データＤを記録するデータ記録処理と共に実行することにより、測定データ記録装置１からリムーバブルメモリＭａを取り外すことなく、リムーバブルメモリＭｂに測定データＤをコピーして取得することができるため、リムーバブルメモリＭａに対する測定データＤの記録処理（データ記録処理）を継続して実行することができる結果、測定データＤの欠落を招くことなく、すべての測定データＤを取得することができる。また、リムーバブルメモリＭｂについては、測定データＤのコピーが完了した後に任意の時点で測定データ記録装置１から取り外すことができるため、データ処理１０の終了を待つことなく、所望の測定データＤを任意の時点で取得することができる。
【００３６】
また、この測定データ記録装置１によれば、制御部８が、接続ポート６ｂに対するリムーバブルメモリＭｂの装着の有無を監視して、リムーバブルメモリＭｂが装着されたときに、リムーバブルメモリＭａに記録されている測定データＤのすべてをコピーするデータコピー処理としての第１処理の実行（上記の「選択肢１」）、リムーバブルメモリＭａに記録されている測定データＤのうちの予め規定された条件（この例では、「進行中のデータ処理１０によって記録した」との条件）を満たす測定データＤだけをコピーするデータコピー処理としての第２処理の実行（上記の「選択肢２」）、およびデータコピー処理の不実行（上記の「選択肢３」）のいずれかを選択させるメッセージを表示部４に表示させ、第１処理および第２処理のいずれかの実行（「選択肢１」および「選択肢２」のいずれか）を選択されたときに、コピー条件が満たされたとして、選択に応じたデータコピー処理を実行することにより、接続ポート６ｂにリムーバブルメモリＭｂを装着して第１処理および第２処理のいずれかの実行を選択するだけでリムーバブルメモリＭａ内の測定データＤをリムーバブルメモリＭｂにコピーすることができるため、この種の装置の操作に不慣れな利用者であっても、所望の測定データＤを確実かつ容易にリムーバブルメモリＭｂにコピーすることができる。
【００３７】
さらに、この測定データ記録装置１によれば、制御部８が、データコピー処理の度にリムーバブルメモリＭｂ内に新たなフォルダを生成して、生成したフォルダ内に測定データＤをコピーすることにより、同一のリムーバブルメモリＭｂを使用して「データコピー処理」を複数回に亘って実行したときに、リムーバブルメモリＭｂ内に記録されている（リムーバブルメモリＭｂにコピーされた）測定データＤに新たな測定データＤが上書きコピーされて、最新のデータコピー処理の実行以前にリムーバブルメモリＭｂに記録されていた測定データＤを失う事態を回避することができる。
【００３８】
なお、「記録部」に相当するリムーバブルメモリＭａ、および「情報記録媒体」に相当するリムーバブルメモリＭｂの双方をリムーバブルメディア（着脱自在な情報記録媒体）で構成した例について説明したが、「記録部（上記の「主記録装置」）」として使用する記録要素については、測定データ記録装置１に対して固定的に配設した各種メディア（メモリやハードディスクドライブ等）で構成することができる。また、「着脱自在な情報記録媒体」の一例として、ＵＳＢ機器としてのリムーバブルメモリＭｂを使用する例について説明したが、これに代えて、ＵＳＢ機器以外の各種リムーバブルメモリ（コンパクトフラッシュ（登録商標）やＳＤメモリカード等）、リムーバブルハードディスクドライブ、および記録型光ディスク等の各種メディアを使用する構成を採用することができる。このような構成を採用した場合においても、上記の測定データ記録装置１と同様の効果を奏することができる。
【００３９】
また、測定部２を一体的に備えた測定データ記録装置１を例に挙げて説明したが、外部装置としての測定装置によって生成された測定データＤをパーソナルコンピュータＰＣに送信しつつリムーバブルメモリＭａに記録する構成を採用することもできる。さらに、表示部４を一体的に備えた測定データ記録装置１を例に挙げて説明したが、外部装置としての表示装置に上記の各種メッセージを表示させる構成を採用することもできる。これらの構成を採用した場合においても、上記の測定データ記録装置１と同様の効果を奏することができる。
【符号の説明】
【００４０】
１  測定データ記録装置
２  測定部
３  操作部
４  表示部
５  記憶部
６ａ，６ｂ  接続ポート
７  通信部
８  制御部
１０  データ処理
Ｄ  測定データ
Ｍａ，Ｍｂ  リムーバブルメモリ
Ｎ  通信ネットワーク
ＰＣ  パーソナルコンピュータ
【図１】
0005415296.tif 000002
【図２】
0005415296.tif 000003